(57)【特許請求の範囲】
【請求項１】
椅子に結着可能なクッションであって、
クッション材と、
このクッション材を覆うものであって、一側縁にクッション材を出し入れするための開口部を有するカバーと、
このカバーの開口部の両端にそれぞれカバー内に収納可能に設けられた一対の固定紐と、
前記開口部に設けられ、該開口部を開閉するファスナーとを備え、
前記ファスナーには２つのスライダーが装着され、これら２つのスライダーが相互に近接する方向にスライドされた際は前記開口部がその両端から開かれ、２つのスライダーが相互に離間する方向にスライドされた際は前記開口部が閉塞されることを特徴とする椅子用クッション。
【発明の詳細な説明】
【技術分野】
【０００１】
本発明は、椅子に結着可能な椅子用クッションにかかり、更に詳しくは、椅子への結着用の紐が取付けられたクッションに関する。
【背景技術】
【０００２】
従来の椅子に結着可能なクッションや座布団（以下「クッション等」という）２００には、図８に示すように、クッション材２１０とそのクッション材２１０を覆うカバー２２０とからなり、そのカバー２２０に、紐２３０ａ，２３０ｂが取付けられたものがある。
【０００３】
図９に示すように、このようなクッション等２００は、主に椅子１００の座部１１０のクッション性や保温性を高める目的で椅子１００の座部１１０に敷いて使用され、この際、クッション等２００が、離着席時に椅子１００からずれ落ちたり、位置ずれしたりすることのないように、上記紐２３０ａ，２３０ｂが椅子の背もたれや肘掛けを支持するパイプ等の支柱１２０に結び着けられ、椅子１００の座部１１０に固定される（特許文献１参照）。
【特許文献１】実開平３−３２６１号公報
【発明の開示】
【発明が解決しようとする課題】
【０００４】
しかしながら、上記クッション等は、車の座席に敷いて使用されたり、畳の上に敷いて使用されたりとその使用法は様々であり、椅子に固定して使用することに限定されるものではなかった。よって、上記クッション等を椅子に結着せずに使用する場合にあっては、椅子への結着に使用される紐が、引っ掛かる等して邪魔になっていた。
【０００５】
そこで、本発明は、椅子への結着に使用される紐を、クッション材を覆うカバー内へ収納することが可能な椅子用クッションを提供することを目的としている。
【課題を解決するための手段】
【０００６】
本発明の椅子用クッションは、クッション材と、このクッション材を覆うものであって、一側縁にクッション材を出し入れするための開口部を有するカバーと、このカバーの開口部の両端にそれぞれカバー内に収納可能に設けられた一対の固定紐と、前記開口部に設けられ、該開口部を開閉するファスナーとを備え、前記ファスナーには２つのスライダーが装着され、これら２つのスライダーが相互に近接する方向にスライドされた際は前記開口部がその両端から開かれ、２つのスライダーが相互に離間する方向にスライドされた際は前記開口部が閉塞されることを特徴としている。
【０００７】
本発明において、クッション材には、綿、羊毛、羽毛、発泡体、不織布、空気マットレス、バネ、液体又はゲル状物あるいはこれら材料を組み合わせたもの等を使用してもよい。
【０００８】
カバーには、綿布、絹布、麻などの天然繊維を織った布、レーヨン、ポリエチレン等の化学繊維性の布、皮革、糸状の合成樹脂を編んだ布等を使用してもよい。
【０００９】
このような構造の椅子用クッションによれば、固定紐を使用しない場合には、上記したファスナーの２つのスライダーを相互に近接する方向へスライドさせて開口部の両端を開け、この開口部の両端の開いた部分より固定紐をカバー内に入れてから２つのスライダーを相互に離間する方向へスライドさせてその開口部を閉塞することで、固定紐をカバー内へ収納することができる。
【００１０】
上述のようにしてカバー内に収納された固定紐を、椅子への結着に使用するためにカバーの外へ出す場合にも同様に、上記したファスナーの２つのスライダーを相互に近接する方向へスライドさせて開口部の両端を開け、この開口部の両端の開いた部分より固定紐を外に出してから２つのスライダーを相互に離間する方向へスライドさせてその開口部を閉塞することで、カバー内に収納された固定紐をカバーの外へ出すことができる。
【発明の効果】
【００１１】
このように、本発明の椅子用クッションは、必要に応じて固定紐をカバーの中へ収納したり、固定紐をカバーの外へ出したりすることができる。よって、椅子用クッションを椅子に結着しないで使用する際には、椅子への結着に使用される固定紐をカバー内へ収納しておくことができ、使用の際に固定紐が邪魔にならず、使いやすい。また、固定紐の出し入れは、クッション材を出し入れするための開口部を利用するものであるから、固定紐の出し入れのための開口部を別途設ける必要がなく、その分構造が簡素化され、取扱性及びデザイン面でも優れている。
【発明を実施するための最良の形態】
【００１２】
以下、本発明の実施の形態について、図面を参照して説明する。
【００１３】
図１〜図４は、本発明の一実施形態に係る椅子用クッションの斜視図である。
【００１４】
本発明の椅子用クッションは、主にクッション材１０と、このクッション材１０を覆うカバー２０から構成されている。
【００１５】
カバー２０の一側縁には、クション材１０を出し入れするための開口部４０が設けられており、この開口部４０の両端には、それぞれカバー２０内に収納することが可能な固定紐３０ａ，３０ｂが取付けられている。これら固定紐３０ａ，３０ｂの基端部（カバー２０への取付部）はカバー２０内の適所に配され、カバー２０内に収納された際に、その姿が完全にカバー２０内に隠れるように図られている。
【００１６】
さらに、カバー２０のその開口部４０周縁には、開閉のためのファスナー５０が設けられている。
【００１７】
このファスナー５０には、２つのスライダー５１ａ，５１ｂが装着されており、これら２つのスライダー５１ａ，５１ｂを相互に近接する方向にスライドさせると、前記開口部４０がその両端から開かれ（図２及び図６参照）、２つのスライダー５１ａ，５１ｂを相互に離間する方向にスライドさせると、前記開口部４０が閉塞される（図１及び図５参照）。
【００１８】
このような本発明の椅子用クッションは、以下に示すようにして、図１及び図５のようにカバー２０の外側に垂れ下がっている固定紐３０ａ，３０ｂを、カバー２０の中へ収納することができる（図３参照）。
【００１９】
まず、２つのスライダー５１ａ，５１ｂを相互に近接する方向へスライドさせる。これにより、開口部４０の両端が開かれる（図２及び図６参照）ので、この開口部４０の両端の開いた部分６０ａ，６０ｂより、その開口部４０両端にあって、カバー２０の外側に垂れ下がっている前記固定紐３０ａ，３０ｂをカバー２０の中へ入れる。そして、２つのスライダー５１ａ，５１ｂを相互に離間する方向にスライドさせると、開口部４０が閉塞され、図３に示すように、固定紐３０ａ，３０ｂがカバー２０内へ収納される。
【００２０】
椅子へ結着しない場合には、上述のようにして固定紐３０ａ，３０ｂをカバー２０の中へ収納する。こうすることにより、固定紐３０ａ，３０ｂが邪魔になることがなくなる。
【００２１】
カバー２０内へ収納された固定紐３０ａ，３０ｂ（図３参照）をカバー２０の外へ出す（図１参照）場合にも同様に、２つのスライダー５１ａ，５１ｂを相互に近接する方向へスライドさせて開口部４０の両端を開け（図２及び図６参照）、この開口部４０の両端の開いた部分６０ａ，６０ｂより、その開口部４０両端にあって、カバー２０の中にある前記固定紐３０ａ，３０ｂをカバー２０の外へ出し、そして、２つのスライダー５１ａ，５１ｂを相互に離間する方向にスライドさせて開口部４０を閉塞する（図１及び図５参照）。
【００２２】
このようにして、固定紐３０ａ，３０ｂをカバー２０の外へ出すと（図１参照）、これら固定紐３０ａ，３０ｂを椅子の背もたれや肘掛けを支持するパイプ等の支柱に結び付けて、椅子用クッションを椅子に固定することができる。
本発明の椅子用クッションによれば、上記したようにして、必要に応じて自在に固定紐３０ａ，３０ｂをカバー２０内外へ出し入れすることができる。
【００２３】
なお、クッション材１０をカバー２０の開口部４０より出し入れするには、ファスナー５０の一方のスライダー５１ａのみをスライドさせて、もう一方のスライダー５１ｂに近接させ、両スライダー５１ａ，５１ｂを開口部４０の片端に寄せる（図４及び図７参照）。これにより、クッション材１０を出し入れするのに十分な大きさが開口部４０に開くので、この開いた部分より、クッション材１０を出し入れすることができる。
【図面の簡単な説明】
【００２４】
【図１】本発明の一実施形態に係る椅子用クッションにおいて固定紐をカバーから取り出した状態を示す一部切欠斜視図である。
【図２】図１に示す椅子用クッションにおいて固定紐の取り出し及び収納を説明する斜視図である。
【図３】図１に示す椅子用クッションにおいて固定紐を収納した状態を示す斜視図である。
【図４】図１に示す椅子用クッションにおいて開口部を全開した状態を示す斜視図である。
【図５】図１に示す椅子用クッションにおいて開口部を閉塞した状態を示す部分拡大正面図である。
【図６】図１に示す椅子用クッションにおいて固定紐の取り出し及び収納を説明する部分拡大正面図である。
【図７】図１に示す椅子用クッションにおいて開口部を全開した状態を示す部分拡大正面図である。
【図８】従来の椅子用クッションを示す一部切欠斜視図である。
【図９】従来の椅子用クッションの使用例を示す斜視図である。
【符号の説明】
【００２５】
１０  クッション材
２０  カバー
３０ａ，３０ｂ  固定紐
４０  開口部
５０  ファスナー
５１ａ，５１ｂ  スライダー
６０ａ，６０ｂ  開口部両端の開いた部分
【図１】
0004818698.tif 000002
【図２】
0004818698.tif 000003
【図３】
0004818698.tif 000004
【図４】
0004818698.tif 000005
【図５】
0004818698.tif 000006
【図６】
0004818698.tif 000007
【図７】
0004818698.tif 000008
【図８】
0004818698.tif 000009
【図９】
0004818698.tif 000010